(57)【特許請求の範囲】
【請求項１】
近距離無線通信機能と携帯電話機能を備え、あらかじめＩＤ番号が記憶されている携帯端末と、
この携帯端末との近距離無線通信により上記携帯端末による駅務処理を実行する別々の事業者ごとの駅務端末と、
上記携帯端末との携帯電話機能により接続され、上記携帯端末に対する認証番号の付与を行う認証処理システムと、
同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムと、
からなる駅務システムにおける認証システムにおいて、
認証の申込み時に、上記携帯端末からのＩＤ番号を上記認証処理システムへ送信する第１の送信手段と、
この第１の送信手段により送信された上記携帯端末からのＩＤ番号に対して、上記認証処理システムにより認証番号を発生する発生手段と、
上記認証処理システムにより、上記発生手段により発生した認証番号を上記携帯端末のＩＤ番号に対応して記憶する記憶手段と、
上記認証処理システムにより、上記発生手段により発生した認証番号を上記携帯端末へ送信する第２の送信手段と、
この第２の送信手段により送信された認証番号と上記携帯端末のＩＤ番号と上記駅務機器の使用許可の申請とを、上記携帯端末から上記使用許可システムの１つへ送信する第３の送信手段と、
この駅務機器の使用許可の申請時に、上記携帯端末からのＩＤ番号と認証番号を上記使用許可システムから上記認証処理システムに送信する第４の送信手段と、
上記認証処理システムにより、この第４の送信手段により送信されたＩＤ番号に対する認証番号と上記認証処理システムに上記携帯端末のＩＤ番号に対応して上記記憶手段に記憶されている認証番号とが一致するか否かにより、上記駅務機器の使用を許可するか否かを判断する判断手段と、
この判断手段により上記駅務機器の使用の許可を判断した際、上記認証処理システムから使用許可システムに上記駅務機器の使用の許可を送信する第５の送信手段と、
この第５の送信手段により上記駅務機器の使用の許可が送信された際に、上記使用許可システムから上記携帯端末に上記駅務機器の使用の許可と上記事業者ごとに異なる画面表示プログラムを送信する第６の送信手段と、
上記第５の送信手段により送信された使用の許可と上記事業者ごとに異なる画面表示プログラムとに基づいて、上記携帯端末が近距離無線通信機能により作動することにより、対応する事業者の駅務端末との駅務処理を実行する実行手段と、
を備えたことを特徴とする駅務システムにおける認証システム。
【請求項２】
近距離無線通信機能と携帯電話機能を備え、あらかじめＩＤ番号が記憶されている携帯端末と、
この携帯端末との近距離無線通信により上記携帯端末による駅務処理を実行する別々の事業者ごとの駅務端末と、
上記携帯端末との携帯電話機能により接続され、上記携帯端末に対する認証番号の付与を行うとともに、近距離無線通信機能の基本プログラムが記憶されている認証処理システムと、
同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムと、
からなる駅務システムにおける認証システムにおいて、
認証の申込み時に、上記携帯端末からのＩＤ番号を上記認証処理システムへ送信する第１の送信手段と、
この第１の送信手段により送信された上記携帯端末からのＩＤ番号に対して、上記認証処理システムにより認証番号を発生する発生手段と、
上記認証処理システムにより、上記発生手段により発生した認証番号を上記携帯端末のＩＤ番号に対応して記憶する記憶手段と、
上記認証処理システムにより、上記発生手段により発生した認証番号と上記近距離無線通信機能の基本プログラムを上記携帯端末へ送信する第２の送信手段と、
この第２の送信手段により送信された認証番号と上記携帯端末のＩＤ番号と上記駅務機器の使用許可の申請とを、上記携帯端末から上記使用許可システムの１つへ送信する第３の送信手段と、
この駅務機器の使用許可の申請時に、上記携帯端末からのＩＤ番号と認証番号を上記使用許可システムから上記認証処理システムに送信する第４の送信手段と、
上記認証処理システムにより、この第４の送信手段により送信されたＩＤ番号に対する認証番号と上記認証処理システムに上記携帯端末のＩＤ番号に対応して上記記憶手段に記憶されている認証番号とが一致するか否かにより、上記駅務機器の使用を許可するか否かを判断する判断手段と、
上記認証処理システムにより、上記この判断手段により上記駅務機器の使用の許可を判断した際、上記認証処理システムから使用許可システムに上記駅務機器の使用の許可を送信する第５の送信手段と、
この第５の送信手段により上記駅務機器の使用の許可が送信された際に、上記使用許可システムから上記携帯端末に上記駅務機器の使用の許可と上記事業者ごとに異なる画面表示プログラムを送信する第６の送信手段と、
上記第６の送信手段により送信された使用の許可と上記第２の送信手段により送信された近距離無線通信機能の基本プログラムと上記事業者ごとに異なる画面表示プログラムとに基づいて、上記携帯端末が近距離無線通信機能により作動することにより、対応する事業者の駅務端末との駅務処理を実行する実行手段と、
を備えたことを特徴とする駅務システムにおける認証システム。
【請求項３】
近距離無線通信機能と携帯電話機能を備え、あらかじめＩＤ番号が記憶されている携帯端末と、
この携帯端末との近距離無線通信により上記携帯端末による駅務処理を実行する別々の事業者ごとの駅務端末と、
上記携帯端末との携帯電話機能により接続され、上記携帯端末に対する認証番号の付与を行うとともに、近距離無線通信機能の基本プログラムが記憶されている認証処理システムと、
同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムと、
からなる駅務システムにおける認証システムにおいて、
認証の申込み時に、上記携帯端末からのＩＤ番号と決済情報とを上記認証処理システムへ送信する第１の送信手段と、
この第１の送信手段により送信された上記携帯端末からのＩＤ番号に対して、上記認証処理システムにより認証番号を発生する発生手段と、
上記認証処理システムにより、上記発生手段により発生した認証番号を上記携帯端末のＩＤ番号と決済情報とに対応して記憶する記憶手段と、
上記認証処理システムにより、上記発生手段により発生した認証番号と上記近距離無線通信機能の基本プログラムを上記携帯端末へ送信する第２の送信手段と、
この第２の送信手段により送信された認証番号と上記携帯端末のＩＤ番号と上記駅務機器の使用許可の申請とを、上記携帯端末から上記使用許可システムの１つへ送信する第３の送信手段と、
この駅務機器の使用許可の申請時に、上記携帯端末からのＩＤ番号と認証番号を上記使用許可システムから上記認証処理システムに送信する第４の送信手段と、
上記認証処理システムにより、この第４の送信手段により送信されたＩＤ番号に対する認証番号と上記認証処理システムに上記携帯端末のＩＤ番号に対応して上記記憶手段に記憶されている認証番号とが一致するか否かにより、上記駅務機器の使用を許可するか否かを判断する判断手段と、
上記認証処理システムにより、上記この判断手段により上記駅務機器の使用の許可を判断した際、上記認証処理システムから使用許可システムに上記駅務機器の使用の許可を送信する第５の送信手段と、
この第５の送信手段により上記駅務機器の使用の許可が送信された際に、上記使用許可システムから上記携帯端末に上記駅務機器の使用の許可と上記事業者ごとに異なる画面表示プログラムを送信する第６の送信手段と、
上記駅務機器の使用の許可に伴う料金を、上記認証処理システムの記憶手段に上記携帯端末のＩＤ番号に対応して記憶されている決済情報に基づいて徴収する徴収手段と、
上記第６の送信手段により送信された使用の許可と上記第２の送信手段により送信された近距離無線通信機能の基本プログラムと上記事業者ごとに異なる画面表示プログラムとに基づいて、上記携帯端末が近距離無線通信機能により作動することにより、対応する事業者の駅務端末との駅務処理を実行する実行手段と、
を備えたことを特徴とする駅務システムにおける認証システム。
【請求項４】
近距離無線通信機能と携帯電話機能を備え、あらかじめＩＤ番号が記憶されている携帯端末と、
この携帯端末との近距離無線通信により上記携帯端末による駅務処理を実行する別々の事業者ごとの駅務端末と、
上記携帯端末との携帯電話機能により接続され、上記携帯端末に対する認証番号の付与を行う認証処理システムと、
同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムと、
からなる駅務システムにおける認証システムにおいて、
上記携帯端末が、
認証の申込み時に、上記ＩＤ番号を上記認証処理システムへ送信する第１の送信手段と、
この第１の送信手段の送信に応答して上記認証処理システムから得られる認証番号と上記ＩＤ番号と上記駅務機器の使用許可の申請とを、上記使用許可システムの１つへ送信する第２の送信手段と、
この第２の送信手段の送信に応答して上記使用許可システムから得られた上記駅務機器の使用許可と上記事業者ごとに異なる画面表示プログラムとに基づいて、上記携帯端末が近距離無線通信機能により作動することにより、対応する事業者の駅務端末との駅務処理を実行する実行手段とからなり、
上記認証処理システムが、
上記携帯端末から送信された上記ＩＤ番号に対して、認証番号を発生する発生手段と、
この発生手段により発生した認証番号を上記携帯端末のＩＤ番号に対応して記憶する記憶手段と、
上記発生手段により発生した認証番号を上記携帯端末へ送信する第３の送信手段と、
この第３の送信手段により送信されたＩＤ番号に対する認証番号と上記認証処理システムに上記携帯端末のＩＤ番号に対応して記憶されている認証番号とが一致するか否かにより、上記使用許可システムから供給されるＩＤ番号に対応する認証番号とこのＩＤ番号に対応して上記記憶手段に記憶されている認証番号とが一致するか否かにより、上記駅務機器の使用を許可するか否かを判断する判断手段と、
この判断手段により上記駅務機器の使用の許可を判断した際に、上記使用許可システムに上記駅務機器の使用の許可を送信する第４の送信手段とからなり、
上記使用許可システムが、
上記駅務機器の使用許可の申請時に、上記携帯端末からのＩＤ番号と認証番号を上記認証処理システムに送信する第５の送信手段と、
この第５の送信手段の送信に応答して得られる上記認証処理システムから上記駅務機器の使用の許可が送信された際に、上記携帯端末に上記駅務機器の使用の許可と上記事業者ごとに異なる画面表示プログラムを送信する第６の送信手段とからなる
ことを特徴とする駅務システムにおける認証システム。
【請求項５】
近距離無線通信機能と携帯電話機能を備え、あらかじめＩＤ番号が記憶されている携帯端末と、
この携帯端末との近距離無線通信により上記携帯端末による駅務処理を実行する別々の事業者ごとの駅務端末と、
上記携帯端末との携帯電話機能により接続され、上記携帯端末に対する認証番号の付与を行うとともに、近距離無線通信機能の基本プログラムが記憶されている認証処理システムと、
同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムと、
からなる駅務システムにおける認証システムにおいて、
上記携帯端末が、
認証の申込み時に、上記ＩＤ番号を上記認証処理システムへ送信する第１の送信手段と、
この第１の送信手段の送信に応答して上記認証処理システムから得られる認証番号と上記ＩＤ番号と上記駅務機器の使用許可の申請とを、上記使用許可システムの１つへ送信する第２の送信手段と、
この第２の送信手段の送信に応答して上記使用許可システムから得られた上記駅務機器の使用許可と上記認証処理システムからの近距離無線通信機能の基本プログラムと上記事業者ごとに異なる画面表示プログラムとに基づいて、上記携帯端末が近距離無線通信機能により作動することにより、対応する事業者の駅務端末との駅務処理を実行する実行手段とからなり、
上記認証処理システムが、
上記携帯端末から送信された上記ＩＤ番号に対して、認証番号を発生する発生手段と、
この発生手段により発生した認証番号を上記携帯端末のＩＤ番号に対応して記憶する記憶手段と、
上記発生手段により発生した認証番号を上記携帯端末へ送信する第３の送信手段と、
この第３の送信手段により送信されたＩＤ番号に対する認証番号と上記認証処理システムに上記携帯端末のＩＤ番号に対応して記憶されている認証番号とが一致するか否かにより、上記使用許可システムから供給されるＩＤ番号に対応する認証番号とこのＩＤ番号に対応して上記記憶手段に記憶されている認証番号とが一致するか否かにより、上記駅務機器の使用を許可するか否かを判断する判断手段と、
この判断手段により上記駅務機器の使用の許可を判断した際に、上記使用許可システムに上記駅務機器の使用の許可を送信する第４の送信手段とからなり、
上記使用許可システムが、
上記駅務機器の使用許可の申請時に、上記携帯端末からのＩＤ番号と認証番号を上記認証処理システムに送信する第５の送信手段と、
この第５の送信手段の送信に応答して得られる上記認証処理システムから上記駅務機器の使用の許可が送信された際に、上記携帯端末に上記駅務機器の使用の許可と上記事業者ごとに異なる画面表示プログラムを送信する第６の送信手段とからなる
ことを特徴とする駅務システムにおける認証システム。
【請求項６】
近距離無線通信機能と携帯電話機能を備え、あらかじめＩＤ番号が記憶されている携帯端末と、
この携帯端末との近距離無線通信により上記携帯端末による駅務処理を実行する別々の事業者ごとの駅務端末と、
上記携帯端末との携帯電話機能により接続され、上記携帯端末に対する認証番号の付与を行うとともに、近距離無線通信機能の基本プログラムが記憶されている認証処理システムと、
同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムと、
からなる駅務システムにおける認証システムにおいて、
上記携帯端末が、
認証の申込み時に、上記ＩＤ番号と決済情報とを上記認証処理システムへ送信する第１の送信手段と、
この第１の送信手段の送信に応答して上記認証処理システムから得られる認証番号と上記ＩＤ番号と上記駅務機器の使用許可の申請とを、上記使用許可システムの１つへ送信する第２の送信手段と、
この第２の送信手段の送信に応答して上記使用許可システムから得られた上記駅務機器の使用許可と上記認証処理システムからの近距離無線通信機能の基本プログラムと上記事業者ごとに異なる画面表示プログラムとに基づいて、上記携帯端末が近距離無線通信機能により作動することにより、対応する事業者の駅務端末との駅務処理を実行する実行手段とからなり、
上記認証処理システムが、
上記携帯端末から送信された上記ＩＤ番号に対して、認証番号を発生する発生手段と、
この発生手段により発生した認証番号を上記携帯端末のＩＤ番号と決済情報とに対応して記憶する記憶手段と、
上記発生手段により発生した認証番号を上記携帯端末へ送信する第３の送信手段と、
この第３の送信手段により送信されたＩＤ番号に対する認証番号と上記認証処理システムに上記携帯端末のＩＤ番号に対応して記憶されている認証番号とが一致するか否かにより、上記使用許可システムから供給されるＩＤ番号に対応する認証番号とこのＩＤ番号に対応して上記記憶手段に記憶されている認証番号とが一致するか否かにより、上記駅務機器の使用を許可するか否かを判断する判断手段と、
この判断手段により上記駅務機器の使用の許可を判断した際に、上記使用許可システムに上記駅務機器の使用の許可を送信する第４の送信手段とからなり、
上記使用許可システムが、
上記駅務機器の使用許可の申請時に、上記携帯端末からのＩＤ番号と認証番号を上記認証処理システムに送信する第５の送信手段と、
この第５の送信手段の送信に応答して得られる上記認証処理システムから上記駅務機器の使用の許可が送信された際に、上記携帯端末に上記駅務機器の使用の許可と上記事業者ごとに異なる画面表示プログラムを送信する第６の送信手段と、
上記駅務機器の使用の許可に伴う料金を、上記認証処理システムの記憶手段に上記携帯端末のＩＤ番号に対応して記憶されている決済情報に基づいて徴収する徴収手段とからなる、
ことを特徴とする駅務システムにおける認証システム。
【発明の詳細な説明】
【０００１】
【発明の属する技術分野】
この発明は、ブルートゥース（近距離無線通信）機能を内蔵した携帯端末を利用し自動券売機で乗車券を購入した場合の代金、または自動改札機で直接通過利用での乗車運賃を鉄道会社のサーバから認証センタシステムを介し認証確定後、認証センタシステムから利用者本人の契約金融機関に対しデータを渡し、金融機関からは利用者の口座から鉄道会社へ支払いを行う駅務システムにおける認証システムに関する。
【０００２】
【従来の技術】
近年、ブルートゥース（近距離無線通信）機能を内蔵した携帯端末を利用し自動券売機で乗車券を購入した場合の代金、または自動改札機で直接通過利用での乗車運賃を鉄道会社のサーバから認証センタシステムを介し認証確定後、認証センタシステムから利用者本人の契約金融機関に対しデータを渡し、金融機関からは利用者の口座から鉄道会社（事業者）へ支払いを行う駅務システムにおける認証システムが提案されている。
【０００３】
しかし、上記のような認証システムでは、もし利用者が複数の事業者から同様なサービスを利用使用とした際に、通信方法は汎用的であるにもかかわわらず、認証方法が事業者毎に統一がとれていないため、利用者は事業者が異なるとサービスを受けるたびに異なった認証方法で認証を受ける必要があるという欠点があった。
【０００４】
【発明が解決しようとする課題】
この発明は、ブルートゥース機器システムに存在しなかった共通の認証を個人が簡単に使用できる携帯電話、ＰＨＳ等の携帯端末に持たせることができ、それぞれの携帯端末各一台に対してユーザ共通で使用可能な個人認証の付与が行える駅務システムにおける認証システムを提供することを目的としている。
【０００５】
【課題を解決するための手段】
この発明は、近距離無線通信機能と携帯電話機能を備え、あらかじめＩＤ番号が記憶されている携帯端末と、この携帯端末との近距離無線通信により上記携帯端末による駅務処理を実行する別々の事業者ごとの駅務端末と、上記携帯端末との携帯電話機能により接続され、上記携帯端末に対する認証番号の付与を行う認証処理システムと、同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムと、からなる駅務システムにおける認証システムにおいて、認証の申込み時に、上記携帯端末からのＩＤ番号を上記認証処理システムへ送信する第１の送信手段と、この第１の送信手段により送信された上記携帯端末からのＩＤ番号に対して、上記認証処理システムにより認証番号を発生する発生手段と、上記認証処理システムにより、上記発生手段により発生した認証番号を上記携帯端末のＩＤ番号に対応して記憶する記憶手段と、上記認証処理システムにより、上記発生手段により発生した認証番号を上記携帯端末へ送信する第２の送信手段と、この第２の送信手段により送信された認証番号と上記携帯端末のＩＤ番号と上記駅務機器の使用許可の申請とを、上記携帯端末から上記使用許可システムの１つへ送信する第３の送信手段と、この駅務機器の使用許可の申請時に、上記携帯端末からのＩＤ番号と認証番号を上記使用許可システムから上記認証処理システムに送信する第４の送信手段と、上記認証処理システムにより、この第４の送信手段により送信されたＩＤ番号に対する認証番号と上記認証処理システムに上記携帯端末のＩＤ番号に対応して上記記憶手段に記憶されている認証番号とが一致するか否かにより、上記駅務機器の使用を許可するか否かを判断する判断手段と、この判断手段により上記駅務機器の使用の許可を判断した際、上記認証処理システムから使用許可システムに上記駅務機器の使用の許可を送信する第５の送信手段と、この第５の送信手段により上記駅務機器の使用の許可が送信された際に、上記使用許可システムから上記携帯端末に上記駅務機器の使用の許可と上記事業者ごとに異なる画面表示プログラムを送信する第６の送信手段と、上記第５の送信手段により送信された使用の許可と上記事業者ごとに異なる画面表示プログラムとに基づいて、上記携帯端末が近距離無線通信機能により作動することにより、対応する事業者の駅務端末との駅務処理を実行する実行手段とから構成される。
【０００６】
この発明は、近距離無線通信機能と携帯電話機能を備え、あらかじめＩＤ番号が記憶されている携帯端末と、この携帯端末との近距離無線通信により上記携帯端末による駅務処理を実行する別々の事業者ごとの駅務端末と、上記携帯端末との携帯電話機能により接続され、上記携帯端末に対する認証番号の付与を行うとともに、近距離無線通信機能の基本プログラムが記憶されている認証処理システムと、同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムとからなる駅務システムにおける認証システムにおいて、認証の申込み時に、上記携帯端末からのＩＤ番号を上記認証処理システムへ送信する第１の送信手段と、この第１の送信手段により送信された上記携帯端末からのＩＤ番号に対して、上記認証処理システムにより認証番号を発生する発生手段と、上記認証処理システムにより、上記発生手段により発生した認証番号を上記携帯端末のＩＤ番号に対応して記憶する記憶手段と、上記認証処理システムにより、上記発生手段により発生した認証番号と上記近距離無線通信機能の基本プログラムを上記携帯端末へ送信する第２の送信手段と、この第２の送信手段により送信された認証番号と上記携帯端末のＩＤ番号と上記駅務機器の使用許可の申請とを、上記携帯端末から上記使用許可システムの１つへ送信する第３の送信手段と、この駅務機器の使用許可の申請時に、上記携帯端末からのＩＤ番号と認証番号を上記使用許可システムから上記認証処理システムに送信する第４の送信手段と、上記認証処理システムにより、この第４の送信手段により送信されたＩＤ番号に対する認証番号と上記認証処理システムに上記携帯端末のＩＤ番号に対応して上記記憶手段に記憶されている認証番号とが一致するか否かにより、上記駅務機器の使用を許可するか否かを判断する判断手段と、  上記認証処理システムにより、上記この判断手段により上記駅務機器の使用の許可を判断した際、上記認証処理システムから使用許可システムに上記駅務機器の使用の許可を送信する第５の送信手段と、この第５の送信手段により上記駅務機器の使用の許可が送信された際に、上記使用許可システムから上記携帯端末に上記駅務機器の使用の許可と上記事業者ごとに異なる画面表示プログラムを送信する第６の送信手段と、
上記第６の送信手段により送信された使用の許可と上記第２の送信手段により送信された近距離無線通信機能の基本プログラムと上記事業者ごとに異なる画面表示プログラムとに基づいて、上記携帯端末が近距離無線通信機能により作動することにより、対応する事業者の駅務端末との駅務処理を実行する実行手段とから構成される。
【０００７】
この発明は、近距離無線通信機能と携帯電話機能を備え、あらかじめＩＤ番号が記憶されている携帯端末と、この携帯端末との近距離無線通信により上記携帯端末による駅務処理を実行する別々の事業者ごとの駅務端末と、上記携帯端末との携帯電話機能により接続され、上記携帯端末に対する認証番号の付与を行うとともに、近距離無線通信機能の基本プログラムが記憶されている認証処理システムと、同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムと、からなる駅務システムにおける認証システムにおいて、認証の申込み時に、上記携帯端末からのＩＤ番号と決済情報とを上記認証処理システムへ送信する第１の送信手段と、この第１の送信手段により送信された上記携帯端末からのＩＤ番号に対して、上記認証処理システムにより認証番号を発生する発生手段と、上記認証処理システムにより、上記発生手段により発生した認証番号を上記携帯端末のＩＤ番号と決済情報とに対応して記憶する記憶手段と、上記認証処理システムにより、上記発生手段により発生した認証番号と上記近距離無線通信機能の基本プログラムを上記携帯端末へ送信する第２の送信手段と、この第２の送信手段により送信された認証番号と上記携帯端末のＩＤ番号と上記駅務機器の使用許可の申請とを、上記携帯端末から上記使用許可システムの１つへ送信する第３の送信手段と、この駅務機器の使用許可の申請時に、上記携帯端末からのＩＤ番号と認証番号を上記使用許可システムから上記認証処理システムに送信する第４の送信手段と、上記認証処理システムにより、この第４の送信手段により送信されたＩＤ番号に対する認証番号と上記認証処理システムに上記携帯端末のＩＤ番号に対応して上記記憶手段に記憶されている認証番号とが一致するか否かにより、上記駅務機器の使用を許可するか否かを判断する判断手段と、上記認証処理システムにより、上記この判断手段により上記駅務機器の使用の許可を判断した際、上記認証処理システムから使用許可システムに上記駅務機器の使用の許可を送信する第５の送信手段と、この第５の送信手段により上記駅務機器の使用の許可が送信された際に、上記使用許可システムから上記携帯端末に上記駅務機器の使用の許可と上記事業者ごとに異なる画面表示プログラムを送信する第６の送信手段と、上記駅務機器の使用の許可に伴う料金を、上記認証処理システムの記憶手段に上記携帯端末のＩＤ番号に対応して記憶されている決済情報に基づいて徴収する徴収手段と、上記第６の送信手段により送信された使用の許可と上記第２の送信手段により送信された近距離無線通信機能の基本プログラムと上記事業者ごとに異なる画面表示プログラムとに基づいて、上記携帯端末が近距離無線通信機能により作動することにより、対応する事業者の駅務端末との駅務処理を実行する実行手段とから構成される。
【０００８】
この発明は、近距離無線通信機能と携帯電話機能を備え、あらかじめＩＤ番号が記憶されている携帯端末と、この携帯端末との近距離無線通信により上記携帯端末による駅務処理を実行する別々の事業者ごとの駅務端末と、上記携帯端末との携帯電話機能により接続され、上記携帯端末に対する認証番号の付与を行う認証処理システムと、同一業態の別々の事業者ごとに複数設けられ、上記携帯端末及び認証処理システムのそれぞれと携帯電話機能により接続され、上記携帯端末からの使用許可の申込みに対して上記認証処理システムに認証の問合せを行い、この問合せに応答して認証が得られた際に上記駅務機器の使用許可と上記事業者ごとに異なる画面表示プログラムを上記携帯端末へ送信する同一業態の別々の事業者ごとの使用許可システムとからなる駅務システムにおける認証システムにおいて、上記携帯端末が、認証の申込み時に、上記ＩＤ番号を上記認証処理システムへ送信する第１の送信手段と、この第１の送信手段の送信に応答して上記認証処理システムから得られる認証番号と上記ＩＤ番号と上記駅務機器の使用許可の申請とを、上記使用許可システムの１つへ送信する第２の送信手段と、この第２の送信手段の送信に応答して上記使用許可システムから得られた上記駅務機器の使用許可と上記事業者ごとに異なる画面表示プログラムとに基づいて、上記携帯端末が近距離無線通信機能により作動することにより、対応する事業者の駅務端末との駅務処理を実行する実行手段とからなり、上記認証処理システムが、上記携帯端末から送信された上記ＩＤ番号に対して、認証番号を発生する発生手段と、この発生手段により発生した認証番号を上記携帯端末のＩＤ番号に対応して記憶する記憶手段と、上記発生手段により発生した認証番号を上記携帯端末へ送信する第３の送信手段と、この第３の送信手段により送信されたＩＤ番号に対する認証番号と上記認証処理システムに上記携帯端末のＩＤ番号に対応して記憶されている認証番号とが一致するか否かにより、上記使用許可システムから供給されるＩＤ番号に対応する認証番号とこのＩＤ番号に対応して上記記憶手段に記憶されている認証番号とが一致するか否かにより、上記駅務機器の使用を許可するか否かを判断する判断手段と、この判断手段により上記駅務機器の使用の許可を判断した際に、上記使用許可システムに上記駅務機器の使用の許可を送信する第４の送信手段とからなり、上記使用許可システムが、上記駅務機器の使用許可の申請時に、上記携帯端末からのＩＤ番号と認証番号を上記認証処理システムに送信する第５の送信手段と、この第５の送信手段の送信に応答して得られる上記認証処理システムから上記駅務機器の使用の許可が送信された際に、上記携帯端末に上記駅務機器の使用の許可と上記事業者ごとに異なる画面表示プログラムを送信する第６の送信手段とからなる。
【０００９】
【発明の実施の形態】
以下、図面を参照してこの発明の実施形態を説明する。
【００１０】
図１は、無線の規格ブルートゥース（ＢｌｕｅＴｏｏｔｈ：近距離無線通信）を内蔵した携帯端末（携帯電話、ＰＨＳ）を利用した認証システムを説明するための図である。
【００１１】
すなわち、図１に示すように、認証マスタを持ち認証を与える権限を持つ認証センタシステム１、この認証センタシステム１と電話回線で接続されることによりブルートゥース内蔵の携帯端末Ｍ、各電鉄ユーザ内にある自動改札機３、自動券売機４等の駅務機器及びそれらに連動した電鉄ユーザ代金請求システム５、…、電鉄ユーザオンライン販売システム２、…等で構成される。電鉄ユーザ代金請求システム５、…、電鉄ユーザオンライン販売システム２、…は、各事業者としての電鉄ごとに設けられている。
【００１２】
上記認証センタシステム１は、認証マスタを元に唯一個人認証を付与できる機能と（携帯端末Ｍへの認証付与）、機器に応じたブルートゥースプログラムのダウンロードＤＬＬ、（対応プロファイル等の選別）及び各ユーザ内の電鉄ユーザ代金請求システム５、…や電鉄ユーザオンライン販売システム２、…等からの認証問い合わせに対して、認証を解凍し、問い合わせの認証が正しい認証か否かを判断し、必要に応じて各ユーザ内のシステムに詳細内容を通知する機能を持つものである。
【００１３】
電鉄ユーザ代金請求システム５、…は、自動改札機３や自動券売機４等の駅務機器が携帯端末Ｍにて処理を行った際にその代金を集計して処理するシステムで、そのキーとして認証センタシステム１が発行する個人認証を使用するようにしている。たとえば、電鉄ユーザ代金請求システム５、…は、自動改札機３、自動券売機４等の駅務端末による認証コードとデバイス固有ナンバーとに基づく集計データをメモリ５ａに記憶するものである。
【００１４】
電鉄ユーザオンライン販売システム２、…は大きく２つの機能を持ち、
１．その１つは、携帯端末Ｍを駅務機器に使用させる際の携帯端末Ｍへの使用許可を与える。条件として認証センタシステム１ヘ認証内容を問い合わせ、その結果正しい認証の場合に携帯端末Ｍに使用許可を与える。申し込みの内容により自動改札機３に対する定期情報、ＳＦ情報等も付与する。
【００１５】
２．２つめは販売機能。認証を付与された携帯端末Ｍを使用することで、定期券、ＳＦカード、特急券等の予約発売を行う。条件は１．項と同じである。
【００１６】
携帯端末Ｍのブルートゥースと駅務機器３、４のブルートゥースで定められたＩ／Ｆで携帯端末Ｍと駅務端末３、４間で相互認識を行い、予め定められた使用条件の範囲内で処理を行う。たとえば自動改札機３の場合で、携帯端末ＭがＳＦ機能をもっていた場合は自動改札機３と携帯端末Ｍで相互認識がとれた後、入場時は最低区間分引き去り、出場時は残額引き去りを行い、処理終了後即相互関係を切り離す。
【００１７】
上記携帯端末Ｍは、図２、図３に示すように、本体１１と送受信用のアンテナ部１２により形成されている。
【００１８】
本体１１の前面には、上から順に、スピーカ孔１３、表示部１４、操作部１５、マイク孔１６により構成されている。スピーカ孔１３に対向する本体１１内には、後述する受話部としてのスピーカ（図示しない）が設けられている。マイク孔１６に対向する本体１１内には、後述する送話部としてのマイク（図示しない）が設けられている。表示部１４は、種々の操作案内が行われるものである。操作部１５は、携帯電話として用いる際の種々の設定を行ったり、電話番号の入力を行ったり、携帯端末として用いる場合の設定を行ったり、モード設定の変更を指示するものである。
【００１９】
本体１１内には、図３に示すように、全体を制御する制御回路２０、携帯電話用の制御プログラム、ブルートゥース（近距離無線通信機能）用の制御プログラム、デバイス固有番号（ＩＤ番号、認識番号、機体番号）、認証コード等の各種情報を記憶するメモリ２１、変調復調回路（送受信回路回路）としてのモデム２２、２３、送話部２４、受話部２５、電源発生回路２６、電池部２７により構成されている。
【００２０】
上記メモリ２１には、セキュリティデータが記録されるセキュリティデータエリア２１ａ、サービスデータが記録されるサービスデータエリア２１ｂを有している。
【００２１】
セキュリティデータエリア２１ａには、図４に示すように、セキュリティデータとして「認証コード」「デバイス固有ナンバー」が記録されている。
【００２２】
サービスデータエリア２１ｂには、図５に示すように、事業者コードに対応して定期券の購入情報（有効開始日、有効終了日、発駅、着駅）、ＳＦカードの購入情報（残額、乗車駅）、指定券の購入情報（乗車日、列車名、号車、番、発駅、着駅）が記録されている。
【００２３】
上記モデム２２、２３は、アンテナ部１２に接続され、アンテナ部１２にて受信したリーダライタ４２からの受信データを復調して制御回路２０、電源発生回路２６へ出力したり、制御回路２０からのリーダライタ４２に対する送信データをアンテナ部１２を用いて送信するものである。モデム２２、２３は、携帯端末として用いられる際と、入場システムの端末機器として用いられる際の、信号周波数の違い等に対処して別々に設けられているものである。また、携帯端末として用いられる際と、入場システムの端末機器として用いられる際とは、メモリ２１に登録されている別々のアプリケーションにより制御されるようになっている。
【００２４】
送話部２４は、マイク等により構成され、携帯端末として用いる際に利用者により発せられた言葉を音声データに変換して出力するものである。
【００２５】
受話部２５は、スピーカ等により構成され、他の機器から供給された受信した音声データを再生してスピーカから出力するものである。
【００２６】
電源発生回路２６は、モデム２２からの受信データ（電波）に基づいて電源電圧を生成し、制御回路２０、モデム２２、２３、送話部２４、受話部２５、操作部１５、表示部１４に供給するものである。
【００２７】
電池部２７は、電源発生回路２６が作動していない際に、各部に電源電圧を供給するものである。
【００２８】
上記したブルートゥース（近距離無線通信）機能を内蔵する携帯端末Ｍを用いた個人認証システムにおける基本ルールについて説明する。
【００２９】
１．ブルートゥースのサービスを受けるためには、認証を受け認証コードを付与される必要がある。
【００３０】
２．認証コードを発行する機関は１つであり、認証コードは一元管理される。
【００３１】
３．ブルートゥースのサービスを提供する事業者は複数であり、利用者はサービスを受ける事業者毎に申し込みが必要である。
【００３２】
４．ただし、認証の申し込みは初回の１回のみでよい。
【００３３】
５．どの事業者も利用代金を請求する場合には、認証コード発行機関としての認証センタシステム１に問い合わせて、認証を受け利用者に代金請求を行う。
【００３４】
上記認証センタシステム１の構成を、図６を用いて説明する。すなわち、この認証センタシステム１は、全体の制御する制御部３１、制御プログラム、各種情報を記憶するメモリ３２、種々のデータを記憶するデータベース３３、上記携帯端末Ｍ、電鉄ユーザ代金請求システム５、…、電鉄ユーザオンライン販売システム２、…と電話等により接続される通信インターフェース３４により構成されている。
【００３５】
データベース３３には、図８に示すような、セキュリテイデータとして「認証コード」「電話番号」「デバイス固有ナンバー」「有効開始日」「有効終了日」を記録するセキュリテイデータエリア３３ａ、図９に示すような、個人データとして「認証コード」「シメイ」「氏名」「性別」「住所」を記録する個人データエリア３３ｂ、図１０に示すような、決済データとして「認証コード」「決済種別」「決済先」を記録する決済データエリア３３ｃが設けられている。この決済データとしてはさらに暗証番号、口座番号等も登録しておいても良い。
【００３６】
上記電鉄ユーザオンライン販売システム２、…の構成を、図７を用いて説明する
すなわち、この電鉄ユーザオンライン販売システム２は、全体の制御する制御部４１、制御プログラム、各種情報を記憶するメモリ４２、種々のデータを記憶するデータベース４３、上記携帯端末Ｍ、認証センタシステム１と電話等により接続される通信インターフェース４４により構成されている。
【００３７】
データベース４３には、図１１に示すような、サービスデータとして事業者コードに対応して定期券の購入情報（有効開始日、有効終了日、発駅、着駅）、ＳＦカードの購入情報（残額、乗車駅）、指定券の購入情報（乗車日、列車名、号車、番、発駅、着駅）が記録されている。
【００３８】
上記自動改札機３の制御系統の構成を、図１２を用いて説明する。すなわち、この制御系統は、自動改札機３の全体の制御する主制御部５１、リーダライタ５２、ブルートゥース機能により携帯端末Ｍとの間でＩＤ番号などを送受信するためのアンテナ部５３、通行者の通行を制御する開閉動作可能なドア（図示しない）を駆動するドア機構部５４、上記電鉄ユーザ代金請求システム５との間で情報の伝送を行うインターフェース５５、通行者や駅員などに対して案内を行う表示部５６などから構成されている。主制御部５１には、携帯端末Ｍから供給されている認証コードとデバイス固有ナンバーを記憶する内部メモリ５１ａを有している。
【００３９】
リーダライタ５２は、ブルートゥース機能により、主制御部５１からの信号をアンテナ部５３を介して携帯端末Ｍに送信したり、携帯端末Ｍからアンテナ部５３を介して受信した信号を主制御部５１へ出力するものである。
【００４０】
リーダライタ５２は、全体を制御する制御回路５７、制御プログラム、各種情報を記憶するメモリ５８、送受信回路としてのモデム５９により構成されている。
【００４１】
上記自動券売機４は、上記携帯端末Ｍの認証コードとデバイス固有番号とにより乗車券が購入できるものである。
【００４２】
上記自動券売機４の制御系統の構成を、図１３を用いて説明する。すなわち、この制御系統は、自動券売機４の全体の制御する主制御部６１、リーダライタ６２、ブルートゥース機能により携帯端末Ｍとの間でデバイス固有番号などを送受信するためのアンテナ部６３、発行する券を指定する表示操作部６６、指定された券を発行する発行部６４、上記電鉄ユーザ代金請求システム５との間で情報の伝送を行うインターフェース６５などから構成されている。
【００４３】
主制御部６１には、携帯端末Ｍから供給されている認証コードとデバイス固有ナンバーを記憶する内部メモリ６１ａを有している。
【００４４】
リーダライタ６２は、ブルートゥース機能により、主制御部６１からの信号をアンテナ部６３を介して携帯端末Ｍに送信したり、携帯端末Ｍからアンテナ部６３を介して受信した信号を主制御部６１へ出力するものである。
【００４５】
リーダライタ６２は、全体を制御する制御回路６７、制御プログラム、各種情報を記憶するメモリ６８、送受信回路としてのモデム６９により構成されている。
【００４６】
次に、携帯端末Ｍを所持する利用者が、所望の電鉄会社におけるブルートゥースによるサービスを受ける際の、認証発行の申込み処理について、図１４に示すフローチャートを参照しつつ説明する。
【００４７】
すなわち、携帯端末Ｍの利用者は、まず、ブルートゥース機能を使えるようにするために認証センタシステム１に携帯端末ＭのＷｅｂ機能などを使って、認証センタシステム１のホームページにアクセスする。これにより、利用者は、携帯端末Ｍの操作部１５と表示部１４により、認証の申し込みを開始する（ＳＴ１）。
【００４８】
また、利用者は、携帯端末Ｍの操作部１５と表示部１４の画面により、個人データや決済データ（決済種別、決済先）などを入力し、認証センタシステム１に送信する。このとき、携帯端末Ｍは、メモリ２１に登録してある携帯電話番号とデバイス固有ナンバー（ＩＤ番号：１１０３）も合わせて認証センタシステム１に送信する。
【００４９】
ついで、ホームページ経由で認証センタシステム１にて情報を受信すると、認証センタシステム１はキーとしての携帯電話番号とデバイス固有ナンバーが供給されている際（ＳＴ２）、認証コードを採番し（ＳＴ３）、認証コードとともに電話番号・デバイス固有ナンバー・個人データ・決済データをデータベース３３に記録する。このとき、有効開始日（当日）と有効終了日（５年後）も記録する。
【００５０】
たとえば、図８に示すように、セキュリテイデータとして「認証コード」「電話番号」「デバイス固有ナンバー」「有効開始日」「有効終了日」がセキュリテイデータエリア３３ａに記録し、図９に示すように、個人データとして「認証コード」「シメイ」「氏名」「性別」「住所」が個人データエリア３３ｂに記録し、図１０に示すように、決済データとして「認証コード」「決済種別」「決済先」が決済データエリア３３ｃに記録する。
【００５１】
ついで、認証センタシステム１から利用者の携帯端末Ｍに対して、認証コードとブルートゥース機能が動作するための基本ソフトウェアをダウンロードする（ＳＴ４）。
【００５２】
これにより、携帯端末Ｍは認証センタシステム１からの認証コードを上記デバイス固有ナンバーに対応してメモリ２１に記憶し、上記基本ソフトウェアもメモリ２１に格納する。
【００５３】
上記認証センタシステム１は携帯電話番号とデバイス固有ナンバーのいずれかが供給されていない際（ＳＴ２）、利用者の携帯端末Ｍに対して異常を送信する。
【００５４】
これにより、携帯端末Ｍは上記認証センタシステム１からの異常を受信した際、表示部１４にて異常を案内する（ＳＴ６）。
【００５５】
次に、携帯端末Ｍによる販売あるいは使用許可（各電鉄ユーザへの使用申し込み）に対する認証処理について、図１５に示すフローチャートを参照しつつ説明する。
【００５６】
すなわち、携帯端末Ｍの利用者はサービスの提供（ユーザ内での駅務機器の使用許可）を受けたい電鉄ユーザオンライン販売システム２に電話のＷｅｂ機能などを使って電鉄会社のホームページにアクセスする。
【００５７】
これにより、利用者は、携帯端末Ｍの操作部１５と表示部１４の画面により、サービス開始（ユーザ内での駅務機器の使用許可、希望のサービスのデータを入力）の申し込み操作を行う（ＳＴ１１）。また、携帯端末Ｍは電鉄ユーザオンライン販売システム２に認証の問合せを送信する（ＳＴ１２）。このとき、携帯端末Ｍは希望のサービスのデータとともに、メモリ２１のセキュリティデータエリア２１ａに記憶されている認証コードとデバイス固有ナンバーを合わせて電鉄ユーザオンライン販売システム２に送信する。
【００５８】
すなわち、上記ホームページ経由で電鉄ユーザオンライン販売システム２に送信され、電鉄ユーザオンライン販売システム２にて認証コード、デバイス固有ナンバーがメモリ４２に記憶され、図１１に示すような、サービスデータ（事業者コードに対応してカードの購入情報、指定券の購入情報）がデータベース４３に記憶される。
【００５９】
これにより、電鉄ユーザオンライン販売システム２は、認証コードとデバイス固有ナンバーとに基づく、代金請求のための認証問合せを電話回線等により認証センタシステム１に送信する（ＳＴ１２）。
【００６０】
この問合せの送信に応じて、認証センタシステム１は、供給された認証コードに対応するセキュリティデータエリア３３ａに記憶されているデバイス固有ナンバーを読出し、この読出したデバイス固有ナンバーと供給されたデバイス固有ナンバーとが一致するか否かにより、認証がＯＫかＮＧかを判断する。
【００６１】
この結果、認証がＯＫの場合、認証センタシステム１は、決済データエリア３３ｃから上記認証コードに対応して記憶されている決済データを読出し、この読出した決済データ（認証回答結果）を上記問合せのあった電鉄ユーザオンライン販売システム２に返送（通知）する（ＳＴ１３）。
【００６２】
また、認証がＮＧの場合、認証センタシステム１は、その旨を上記問合せのあった電鉄ユーザオンライン販売システム２に返送する。
【００６３】
これにより、電鉄ユーザオンライン販売システム２は、認証センタシステム１からの認証ＯＫを示すデータ（認証回答結果）の受信により、認証ＯＫと判断し（ＳＴ１４）、使用許可とデータベース４３に記憶されている使用情報をダウンロードする（ＳＴ１５）。
【００６４】
たとえば、電鉄ユーザオンライン販売システム２から利用者の携帯端末Ｍに対して、電鉄会社のサービスが受けられるように画面表示用ソフトウェア（プログラム）、図１１に示すような、サービスデータ等をダウンロードする。
【００６５】
これにより、携帯端末Ｍは電鉄ユーザオンライン販売システム２からの使用情報をメモリ２１に格納する。たとえば、図１１に示すような、サービスデータがダウンロードされている際、上記携帯端末Ｍによるブルートゥース機能による自動改札機３とのデータのやり取りにより改札処理が行われたり、上記携帯端末Ｍによるブルートゥース機能による自動券売機４とのデータのやり取りにより券売処理が行われたり、指定券に基づく利用が可能となっている。携帯端末Ｍは、上記電鉄会社でのサービスデータに基づく利用が可能となっている。
【００６６】
また、上記電鉄ユーザオンライン販売システム２は、上記サービスデータを上記携帯端末Ｍにダウンロードした際、その費用を上記認証センタシステム１からの決済データに基づく請求先から引き落とす。
【００６７】
また、上記電鉄ユーザオンライン販売システム２により請求を行う代りに、認証センタシステム１において、認証コードに基づき個人認証（デバイス固有番号）との整合性をチェックし合致した場合に、利用者本人の契約金融機関に対し利用情報（口座番号、利用金額）を渡し、その口座から利用金額（上記サービスデータの金額）を鉄道会社（電鉄ユーザオンライン販売システム２）に入金するようにしても良い。
【００６８】
上記電鉄ユーザオンライン販売システム２は、認証センタシステム１からの認証ＮＧを示すデータの受信により、認証ＮＧと判断し（ＳＴ１４）、利用者の携帯端末Ｍに対して異常を送信する。
【００６９】
これにより、携帯端末Ｍは上記電鉄ユーザオンライン販売システム２からの異常を受信した際、表示部１４にて上記電鉄に対する使用申し込みに対する異常を案内する（ＳＴ１６）。
【００７０】
上記携帯端末Ｍからの使用申込みの代わりに、購入申込みが行われた場合も、電鉄ユーザオンライン販売システム２は同様の処理を行い、認証ＯＫの場合は使用情報の代わりに、該当する媒体（定期券、ＳＦカード、指定券等）を発行、保存する。
【００７１】
この購入申込みの処理について、図１６に示すフローチャートと図１７から図２２に示す表示部１４における表示例を参照しつつ説明する。
【００７２】
すなわち、携帯端末Ｍの利用者は携帯端末Ｍの操作部１５のファンクションキー（図示しない）を操作することによって（ＳＴ２０）、表示部１４により電鉄会社のサービスメニュー選択画面を表示する（ＳＴ２１）。つまり、図１７に示すような、定期券発売、ＳＦカード発売、指定券予約の選択画面が表示される。
【００７３】
この選択画面が表示されている状態において、携帯端末Ｍの利用者により、定期券発売業務が選択されることにより（ＳＴ２２）、表示部１４により定期券発売画面が表示される（ＳＴ２７）。この後、携帯端末Ｍの利用者により、有効期限の入力、乗車経路の入力が順次なされた後（ＳＴ２７）、表示部１４により決済方法の選択画面が表示される（ＳＴ２５）。
【００７４】
この際、携帯端末Ｍの利用者により、決済方法が選択されることにより、表示部１４により利用確認画面が表示される（ＳＴ２６）。
【００７５】
また、上記ステップ２１のサービスメニュー選択画面を表示している状態において、携帯端末Ｍの利用者により、指定券発売業務が選択されることにより（ＳＴ２３）、表示部１４により指定券発売画面が表示される（ＳＴ２８）。この後、携帯端末Ｍの利用者により、乗車日の入力、列車情報の入力が順次なされた後（ＳＴ２８）、表示部１４により決済方法の選択画面が表示される（ＳＴ２５）。
【００７６】
この際、携帯端末Ｍの利用者により、決済方法が選択されることにより、表示部１４により利用確認画面が表示される（ＳＴ２６）。
【００７７】
また、上記ステップ２１のサービスメニュー選択画面を表示している状態において、携帯端末Ｍの利用者により、ＳＦカード発売業務が選択されることにより（ＳＴ２２、２３）、表示部１４により図１８に示す、ＳＦカード発売の金額選択画面が表示される（ＳＴ２４）。この後、携帯端末Ｍの利用者により、カード金額の入力がなされた後、表示部１４により図１９に示す、ＳＦカード発売の確認画面が表示される（ＳＴ２４）。
【００７８】
この確認よりＳＦカードの発売が指示されることにより、表示部１４により図２０に示す、決済方法の選択画面が表示される（ＳＴ２５）。
【００７９】
この際、携帯端末Ｍの利用者により、決済方法が選択されることにより、表示部１４により図２１に示す、利用確認画面としての暗証入力画面が表示される（ＳＴ２６）。
【００８０】
この表示に基づき携帯端末Ｍの利用者により入力された暗証を上記メモリ４２に登録されている認証コード、デバイス固有ナンバーに対応して登録する。
【００８１】
また、表示部１４により、図２２に示す、利用確認画面が表示される（ＳＴ２６）。
【００８２】
上記携帯端末Ｍに、サービスデータとしてＡ電鉄の３０００円分の金額がＳＦカード利用料金として設定されている。
【００８３】
次に、サービスデータとしてＡ電鉄の３０００円分の金額がＳＦカード利用料金として設定されている携帯端末Ｍによる入場用の自動改札機３を通過する際の改札処理について、図２３に示すフローチャートを参照しつつ説明する。
【００８４】
まず、携帯端末Ｍの利用者は、操作部１５と表示部１４を利用して、モード設定によるＳＦモードを選択する（ＳＴ３１）。
【００８５】
この後、自動改札機３と携帯端末Ｍとがブルートゥース機能により接続され、ブルートゥース機能による相互の認識処理（たとえばＩＤのチェック）を行う（ＳＴ３２）。
【００８６】
この結果、認識が行えた際、携帯端末Ｍはメモリ２１のサービスデータエリア２１ｂのＳＦカードの残額を読出し、表示部１４で表示するとともに、自動改札機３に送信する。
【００８７】
上記自動改札機３と携帯端末Ｍとのデータのやり取りにより、携帯端末Ｍのセキュリティデータエリア２１ａに登録されている認証コードとデバイス固有ナンバーとが自動改札機３に送信され、主制御部５１の内部メモリ５１ａに記憶される。
【００８８】
この自動改札機３では、このＳＦカードの残額がこの駅からの最低区間運賃以上の金額か否かにより、入場可能か否かが判断される。
【００８９】
この結果、自動改札機３が入場不可を判断した際、異常を案内するとともに（ＳＴ３６）、ゲート（図示しない）を閉じ、上記携帯端末Ｍを所持する利用者の通過を禁止する。
【００９０】
また、自動改札機３による通過検知機能により上記携帯端末Ｍを所持する利用者の通過が検知された際（ＳＴ３３、３４）、自動改札機３は上記携帯端末ＭからのＳＦカードの残額から最低区間料金を引去った更新残高と入場駅コードとを携帯端末Ｍに送信する。これにより、携帯端末Ｍはサービスデータエリア２１ｂのＳＦカードの残額と乗車駅とを更新記憶する（ＳＴ３５）。
【００９１】
この更新記憶された残額等は、必要に応じて操作部１５からの指示により携帯端末Ｍの表示部１４により表示される。
【００９２】
この自動改札機３による処理内容は集計データとして、電鉄ユーザ代金請求システム５に集計される（ＳＴ３７）。この際、上記集計データに主制御部５１の内部メモリ５１ａに記憶されている認証コードとデバイス固有ナンバー（携帯端末Ｍから供給されている）とを電鉄ユーザ代金請求システム５に送信し、電鉄ユーザ代金請求システム５のメモリ５ａに上記集計データとともに記憶する。
【００９３】
次に、後払いを前提として携帯端末Ｍにより入場用の自動改札機３を通過する際の改札処理について説明する。
【００９４】
まず、携帯端末Ｍの利用者は、操作部１５と表示部１４を利用して、モード設定による後払いモードを選択する。
【００９５】
この後、自動改札機３と携帯端末Ｍとがブルートゥース機能により接続され、ブルートゥース機能による相互の認識処理（たとえばＩＤのチェック）を行う。
【００９６】
この結果、認識が行えた際、上記自動改札機３と携帯端末Ｍとのデータのやり取りにより、携帯端末Ｍのセキュリティデータエリア２１ａに登録されている認証コードとデバイス固有ナンバーとが自動改札機３に送信され、主制御部５１の内部メモリ５１ａに記憶される。
【００９７】
この自動改札機３では、この認証コードとデバイス固有ナンバーのチェックにより、入場可能か否かが判断される。
【００９８】
この結果、自動改札機３が入場不可を判断した際、異常を案内するとともに、ゲート（図示しない）を閉じ、上記携帯端末Ｍを所持する利用者の通過を禁止する。
【００９９】
また、自動改札機３による通過検知機能により上記携帯端末Ｍを所持する利用者の通過が検知された際、自動改札機３は入場駅コードを携帯端末Ｍに送信する。これにより、携帯端末Ｍはサービスデータエリア２１ｂの乗車駅とを更新記憶する。
【０１００】
この自動改札機３による処理内容としての乗車駅からの初乗り運賃が集計データとして、電鉄ユーザ代金請求システム５に集計される。この際、上記集計データに主制御部５１の内部メモリ５１ａに記憶されている認証コードとデバイス固有ナンバー（携帯端末Ｍから供給されている）とを電鉄ユーザ代金請求システム５に送信し、電鉄ユーザ代金請求システム５のメモリ５ａに上記集計データとともに記憶する。
【０１０１】
上記例では、携帯端末Ｍを所持する利用者の改札内への入場時について説明したが、携帯端末Ｍを所持する利用者の改札外への出場時も上記同様に実施できる。ただし、この場合、更新残額が実際の交通運賃から入場時にあらかじめ差引かれている最低区間運賃を差引いた金額とするものである。
【０１０２】
次に、後払いを前提として携帯端末Ｍにより自動券売機４による乗車券の購入処理について、図２４に示すフローチャートを参照しつつ説明する。
【０１０３】
まず、携帯端末Ｍの利用者は、操作部１５と表示部１４を利用して、モード設定による後払いモードを選択する（ＳＴ４１）。
【０１０４】
この後、自動券売機４と携帯端末Ｍとがブルートゥース機能により接続され、ブルートゥース機能による相互の認識処理（たとえばＩＤのチェック）を行う（ＳＴ４２）。
【０１０５】
この結果、認識が行えた際、上記自動券売機４と携帯端末Ｍとのデータのやり取りにより、携帯端末Ｍのセキュリティデータエリア２１ａに登録されている認証コードとデバイス固有ナンバーとが自動券売機４に送信され、主制御部６１の内部メモリ６１ａに記憶される。
【０１０６】
この自動券売機４では、この認証コードとデバイス固有ナンバーのチェックにより、券購入可能か否かが判断される。
【０１０７】
この結果、自動券売機４の表示操作部６６による口座ボタンが表示される。この表示に基づいて、所定金額の口座ボタンが押されることにより、対応する金額の乗車券が券売部６４により発行される（ＳＴ４３）。
【０１０８】
自動券売機４は乗車券の発行内容を携帯端末Ｍに送信する。これにより、携帯端末Ｍはサービスデータエリア２１ｂに記憶する。
【０１０９】
この自動券売機４による乗車券の発行内容が集計データとして、電鉄ユーザ代金請求システム５に集計される（ＳＴ４４）。この際、上記集計データに主制御部６１の内部メモリ６１ａに記憶されている認証コードとデバイス固有ナンバー（携帯端末Ｍから供給されている）とを電鉄ユーザ代金請求システム５に送信し、電鉄ユーザ代金請求システム５のメモリ５ａに上記集計データとともに記憶する（ＳＴ４４）。
【０１１０】
次に、電鉄ユーザ代金請求システム５による請求処理について説明する。
【０１１１】
すなわち、自動券売機４と電鉄ユーザ代金請求システム５とが接続されており、利用者が携帯端末Ｍを利用して乗車券を購入した場合（上記図２４参照）、電鉄ユーザ代金請求システム５に利用者の情報（認証コード、代金など）を蓄積し、その電鉄ユーザ代金請求システム５から認証センタシステム１に送信する。
【０１１２】
認証センタシステム１では認証コードに基づき個人認証（デバイス固有番号）との整合性をチェックし、合致した場合は利用者本人の契約金融機関（図１０の決済データ参照）に対し利用情報（口座番号、利用金額）を渡してその口座から利用金額を鉄道会社（電鉄ユーザ代金請求システム５）に入金する。
【０１１３】
同様に自動改札機３を電鉄ユーザ代金請求システム５とが接続されており、旅客が携帯端末Ｍを利用して自動改札機３を直接利用した場合にも、電鉄ユーザ代金請求システム５に利用者の情報（認証コード、代金など）を蓄積し、その電鉄ユーザ代金請求システム５から認証センタシステム１に送信する。
【０１１４】
認証センタシステム１では認証コードに基づき個人認証（デバイス固有番号）との整合性をチェックし合致した場合は利用者本人の契約金融機関に対し利用情報（口座番号、利用金額）を渡してその口座から利用金額を鉄道会社（電鉄ユーザ代金請求システム５）に入金する。
【０１１５】
上記電鉄ユーザ代金請求システム５による請求処理について、図２５に示すフローチャートを参照しつつ説明する。
【０１１６】
すなわち、一定期間の駅務機器（自動改札機３、自動券売機４）からの携帯端末Ｍによるデータを入手し、認証コードとデバイス固有ナンバーを基準に集計データを収集する（ＳＴ５１）。
【０１１７】
ついで，一定期間経過後に、集計データ内の認証コードとデバイス固有ナンバーとを元に認証センタシステム１に認証正当性を問い合わせる（ＳＴ５２）。
【０１１８】
この問合せに基づいて、認証センタシステム１は、供給された認証コードとデバイス固有ナンバーに基づいて、セキュリテイデータエリア３３ａのセキュリティデータをチェックすることにより認証の正当性を判断する。たとえば、一致するものが記録されている場合に正当なものと判断される。
【０１１９】
この結果、認証センタシステム１は、一致するものがセキュリテイデータエリア３３ａに記録されている場合、正当（ＯＫ）と判断し、認証コードに基づいて決済データエリア３３ｃから読み出された決済先（金融機関名、口座番号）と個人データエリア３３ｂから読み出された個人データとを解凍結果として電鉄ユーザ代金請求システム５へ通知する（ＳＴ５３）。
【０１２０】
また、認証センタシステム１は、一致するものがセキュリテイデータエリア３３ａに記録されていない場合、正当（ＮＧ）と判断し、認証ＮＧを電鉄ユーザ代金請求システム５へ通知する（ＳＴ５３）。
【０１２１】
認証ＯＫの場合は、電鉄ユーザ代金請求システム５が正常決済処理を行う（ＳＴ５４、５５）。
【０１２２】
すなわち、利用者本人の契約金融機関に対し利用情報（口座番号、利用金額）を渡してその口座から利用金額を鉄道会社（電鉄ユーザ代金請求システム５）に入金する。
【０１２３】
認証ＮＧの場合は、電鉄ユーザ代金請求システム５が異常決済処理を行う（ＳＴ５４、５６）。
【０１２４】
なお、上記携帯端末Ｍによる駅務機器（自動改札機３、自動券売機４）に対する処理が，あらかじめ設定されているＳＦカードの残額に基づいた引去り処理を行っている際には、電鉄ユーザ代金請求システムの代りに電鉄ユーザ後方処理システムが設けられ、携帯端末Ｍによる認証コードと認証センタシステムの認証コードとにより、正当な処理が行われているか否かを確認することができる。
【０１２５】
上記したように、認証マスタを持ち認証を与える権限を持つ認証センタシステムとブルートゥース搭載の携帯電話及びＰＨＳ等の携帯端末とを組み合わせることで、
１．駅務機器システムに存在しなかった共通の認証を個人が簡単に使用できる携帯電話、ＰＨＳに持たせることができ、携帯端末の各一台に対してユーザ共通で使用可能の個人認証の付与を行える。（統一個人認証を付与できる）。
【０１２６】
２．駅務システムの中で認証センタは１つのみとすることにより、セキュリティの管理が行いやすい、携帯端末の使用開始時及び代金請求時に各電鉄システムは認証センタシステムに認証を問合せ、また認証センタシステムは各電鉄システムに対して結果の判定及び解凍を行うことで統一したセキュリティを確保できる。
【０１２７】
３．各ユーザがブルートゥースの使用許可を出すことにより、ユーザ毎に使用許可が可能となる。
【０１２８】
４．携帯端末から簡単に認証の申し込みができ、また駅務機器の使用に関しても簡単に申し込みができ、その後は携帯端末が駅務機器にも比較的ハンドフリーで対応できるため、利用者にとっても利便性が大きい。
【０１２９】
また、利用客は携帯端末に初期設定を行うことで、携帯端末の電源の入／切に関わらず、使用許可の下りている駅務機器に対してほぼハンドフリーで使用することができる。
【０１３０】
５．携帯端末の各一台に対してブルートゥースプログラムをダウンロードし、ブルートゥースシステムを自動改札機、自動券売機に適用できる。
【０１３１】
また、サービスを提供する事業者が複数であっても、認証の管理は一元化する。
【０１３２】
認証の申込み、サービスの申込みは携帯電話を使用して行うことが可能である。
【０１３３】
認証申込み後、ブルートゥース内蔵の携帯端末に対して認証コードと基本ソフトウェアをダウンロードすることにより、ブルートゥース機能が使用可能となる。
【０１３４】
サービスの申込み後、ブルートゥース内蔵の携帯端末に対して画面ソフトウェアをダウンロードすることにより、各事業者が提供するブルートゥースを使ったサービスが使用可能となる。
【０１３５】
上記したように、駅務システムという１つの業態における種々の事業者が存在するものにおいて、電話機能とブルートゥース機能とを有する携帯端末Ｍとを用意し、上記業種に対して１つの認証システム１を用意し、携帯端末Ｍからのデバイス固有ナンバーに基づいて認証システム１で認証コードを生成し、デバイス固有ナンバーと認証コードとにより、上記駅務システムでの携帯端末Ｍの利用を確認できるようにしたものである。
【０１３６】
これにより、共通の認証を個人が簡単に使用できる携帯端末Ｍに持たせることができ、携帯端末Ｍの各一台に対して複数のユーザ共通で使用可能な個人認証の付与が行え、統一個人認証を付与できる。
【０１３７】
すなわち、事業者が異なっても認証の申し込みは同じ方法でかつ、１度申し込めば複数の事業者のサービスを受ける際に、再度認証を受ける必要がなくなる。
【０１３８】
【発明の効果】
以上詳述したように、この発明によれば、共通の認証を個人が簡単に使用できる携帯端末に持たせることができ、携帯端末の各一台に対して複数のユーザ共通で使用可能な個人認証の付与が行え、統一個人認証を付与できる駅務システムにおける認証システムを提供できる。
【０１３９】
また、認証申込み後、ブルートゥース内蔵の携帯端末に対して認証コードと基本ソフトウェアをダウンロードすることにより、ブルートゥース機能が使用可能となる。
【０１４０】
さらに、サービスの申込み後、ブルートゥース内蔵の携帯端末に対して画面ソフトウェアをダウンロードすることにより、各事業者が提供するブルートゥースを使ったサービスが使用可能となる。
【図面の簡単な説明】
【図１】この発明の実施形態を説明するための無線の規格ブルートゥースを内蔵した携帯端末を利用した認証システムの概略構成を示す図。
【図２】携帯端末の外観構成を概略的に示す図。
【図３】携帯端末の概略構成を示すブロック図。
【図４】携帯端末におけるセキュリティデータの記録例を示す図。
【図５】携帯端末におけるサービスデータの記録例を示す図。
【図６】認証センタシステムの概略構成を示すブロック図。
【図７】電鉄ユーザオンライン販売システムの概略構成を示すブロック図。
【図８】認証センタシステムにおけるセキュリティデータの記録例を示す図。
【図９】認証センタシステムにおける個人データの記録例を示す図。
【図１０】認証センタシステムにおける決済データの記録例を示す図。
【図１１】電鉄ユーザオンライン販売システムにおけるサービスデータの記録例を示す図。
【図１２】自動改札機の制御系統の概略構成を示すブロック図。
【図１３】自動券売機の制御系統の概略構成を示すブロック図。
【図１４】認証処理を説明するためのフローチャート。
【図１５】各電鉄ユーザへの使用申込み処理を説明するためのフローチャート。
【図１６】サービスメニューの選択処理を説明するためのフローチャート。
【図１７】サービスメニュー選択画面の表示例を示す図。
【図１８】ＳＦカード発売画面の表示例を示す図。
【図１９】ＳＦカード発売画面の表示例を示す図。
【図２０】決済方法選択画面の表示例を示す図。
【図２１】暗証入力画面の表示例を示す図。
【図２２】利用確認画面の表示例を示す図。
【図２３】自動改札機でＳＦ機能使用時の処理を説明するためのフローチャート。
【図２４】自動券売機でＳＦ機能使用時の処理を説明するためのフローチャート。
【図２５】代金請求システムにおける代金請求処理を説明するためのフローチャート。
【符号の説明】
１…認証センタシステム
Ｍ…携帯端末
２…電鉄ユーザオンライン販売システム
３…自動改札機
４…自動券売機
５…電鉄ユーザ代金請求システム
【図１】
0004515619.tif 000002
【図２】
0004515619.tif 000003
【図３】
0004515619.tif 000004
【図４】
0004515619.tif 000005
【図５】
0004515619.tif 000006
【図６】
0004515619.tif 000007
【図７】
0004515619.tif 000008
【図８】
0004515619.tif 000009
【図９】
0004515619.tif 000010
【図１０】
0004515619.tif 000011
【図１１】
0004515619.tif 000012
【図１２】
0004515619.tif 000013
【図１３】
0004515619.tif 000014
【図１４】
0004515619.tif 000015
【図１５】
0004515619.tif 000016
【図１６】
0004515619.tif 000017
【図１７】
0004515619.tif 000018
【図１８】
0004515619.tif 000019
【図１９】
0004515619.tif 000020
【図２０】
0004515619.tif 000021
【図２１】
0004515619.tif 000022
【図２２】
0004515619.tif 000023
【図２３】
0004515619.tif 000024
【図２４】
0004515619.tif 000025
【図２５】
0004515619.tif 000026